(57)【要約】【課題】本発明は、室内のオゾン濃度が人体に対して有害なレベルにまで上昇するのを防止することができる空調装置を提供することを課題とする。【解決手段】本発明の空調装置１は、本体ケース８と、空気を室内に供給する循環ファン１１と、空気を室外に排出する換気ファン１３と、本体ケース８内に配置されて室内を殺菌するオゾンを発生するオゾン発生手段１２と、信号を出力してオゾン発生手段１２を駆動または停止させるオゾン駆動部３３と、オゾン駆動部３３から出力される信号を監視してオゾン発生手段１２の駆動状態を確認する監視部３５と、オゾン発生手段１２を停止させるオゾン停止指示がオゾン駆動部３３に出力されても、監視部３５によりオゾン発生手段１２の駆動が確認されることを条件に、循環ファン１１を停止させて換気ファン１３を駆動させる安全制御を実行する制御手段３２とを備えることを特徴とした。【選択図】図４
2009079834.tif 000002
【特許請求の範囲】
【請求項１】
設置された室内の空気環境を調節する空調装置であって、
本体ケースと、
本体ケース内の空気を室内に供給する循環ファンと、
本体ケース内の空気を室外に排出する換気ファンと、
本体ケース内に配置され、室内を殺菌するオゾンを発生するオゾン発生手段と、
オゾン発生手段に対して信号を出力し、オゾン発生手段を駆動または停止させるオゾン駆動部と、
オゾン駆動部からオゾン発生手段に対して出力される信号を監視してオゾン発生手段の駆動状態を確認する監視部と、
オゾン発生手段を停止させるオゾン停止指示がオゾン駆動部に対して出力されても、監視部によりオゾン発生手段の駆動が確認されることを条件に、循環ファンを停止させて換気ファンを駆動させる安全制御を実行する制御手段とを備えることを特徴とする空調装置。
【請求項２】
本体ケースには、本体ケース内の空気が吹き出される吹出口があり、この吹出口を開閉する開閉機構を備え、
安全制御において、開閉機構により吹出口が閉状態にされることを特徴とする請求項１に記載の空調装置。
【請求項３】
本体ケース内の雰囲気温度を上昇させる昇温手段を備え、
安全制御において、昇温手段によって本体ケース内の雰囲気温度が上昇されることを特徴とする請求項１又は２に記載の空調装置。
【請求項４】
昇温手段が、熱媒を循環させて熱交換により本体ケース内の空気を加熱する熱交換器であることを特徴とする請求項３に記載の空調装置。
【請求項５】
液体を噴霧可能な噴霧手段を備え、
安全制御において、噴霧手段が作動して本体ケース内が加湿されることを特徴とする請求項１〜４のいずれかに記載の空調装置。
【請求項６】
設置場所が、浴室であることを特徴とする請求項１〜５のいずれかに記載の空調装置。
【発明の詳細な説明】
【技術分野】
【０００１】
本発明は、オゾン発生手段を備えた空調装置に関するものである。
【背景技術】
【０００２】
オゾンは、強力な酸化力を有しており、殺菌、脱臭、漂白等の効果に優れている。また電気があれば空気中の酸素を原料にして容易に生成することができ、生成後は化学変化で自然に分解して酸素に戻るため残留性がない。
【０００３】
このようなオゾンの性質に着目し、浴室やトイレ等の衛生的であることが求められる対象空間にオゾンを供給して、対象空間を殺菌・消臭する空調装置が提案されている。
例えば下記の特許文献１には、オゾンの殺菌作用によって、浴室内に浮遊しているかび菌等を分解除去し、浴室内におけるかびの発生を阻止するためにオゾン発生ユニットを搭載した空調装置が開示されている。
このような空調装置は、装置全体の動作を制御するコントローラを備えており、コントローラには、オゾン発生ユニットを駆動させるオゾン駆動回路が設けられている。
【特許文献１】特開２００４−２８４４９号公報
【発明の開示】
【発明が解決しようとする課題】
【０００４】
しかし上記空調装置のオゾン駆動回路は、ノイズ等が原因で故障してしまうおそれがある。オゾン駆動回路が故障すると、オゾンの発生を停止させる停止信号がオゾン駆動回路に出力されても、オゾン発生ユニットを停止させることができないＯＮ故障状態になることがある。この場合、空調装置は、オゾン発生ユニットを停止させることができず、オゾンを発生し続けるので、対象空間内のオゾン濃度が人体に対して有害なレベルにまで上昇してしまうおそれがある。
【０００５】
そこで本発明は、オゾン発生手段を駆動させるオゾン駆動手段が故障しても室内のオゾン濃度が人体に対して有害なレベルにまで上昇するのを防止することができる空調装置を提供することを課題とする。
【課題を解決するための手段】
【０００６】
上記課題を解決するため、請求項１の発明は、設置された室内の空気環境を調節する空調装置であって、本体ケースと、本体ケース内の空気を室内に供給する循環ファンと、本体ケース内の空気を室外に排出する換気ファンと、本体ケース内に配置され、室内を殺菌するオゾンを発生するオゾン発生手段と、オゾン発生手段に対して信号を出力し、オゾン発生手段を駆動または停止させるオゾン駆動部と、オゾン駆動部からオゾン発生手段に対して出力される信号を監視してオゾン発生手段の駆動状態を確認する監視部と、オゾン発生手段を停止させるオゾン停止指示がオゾン駆動部に対して出力されても、監視部によりオゾン発生手段の駆動が確認されることを条件に、循環ファンを停止させて換気ファンを駆動させる安全制御を実行する制御手段とを備えることを特徴とした。
【０００７】
請求項１の空調装置は、循環ファンを停止させることにより、本体ケース内のオゾン発生手段で発生したオゾンが室内に供給されるのを防止することができる。また換気ファンを駆動させることにより、本体ケース内のオゾンを室外に排出することができる。したがって請求項１の空調装置は、制御手段のオゾン駆動部が故障してオゾン発生手段を停止させることができなくても、本体ケース内で発生するオゾンが室内に供給されず、室外に排出されるため、室内のオゾン濃度が人体に有害なレベルまで上昇するのを防止することができる。
【０００８】
請求項２の発明は、請求項１の発明において、本体ケースには、本体ケース内の空気が吹き出される吹出口があり、この吹出口を開閉する開閉機構を備え、安全制御において、開閉機構により吹出口が閉状態にされることを特徴とした。
【０００９】
これにより請求項２の空調装置は、本体ケース内のオゾンが室内に漏れ出すのを防止することができる。
【００１０】
請求項３の発明は、請求項１又は２の発明において、本体ケース内の雰囲気温度を上昇させる昇温手段を備え、安全制御において、昇温手段によって本体ケース内の雰囲気温度が上昇されることを特徴とした。
【００１１】
オゾンは、高温であるほど分解が促進される。かかる知見に基づき請求項３の空調装置は、本体ケース内を高温にして本体ケース内のオゾンの分解を促進し、本体ケース内のオゾンが室内に漏れ出すのを防止する。また、これにより本体ケース内のオゾンの残留が軽減されるので、本体ケースに収容された部品をオゾンによる酸化から防御することができる。
【００１２】
上記請求項３に記載の空調装置は、昇温手段が、熱媒を循環させて熱交換により本体ケース内の空気を加熱する熱交換器であることを特徴としてもよい（請求項４）。
【００１３】
請求項５の発明は、請求項１〜４のいずれかに記載の発明において、液体を噴霧可能な噴霧手段を備え、安全制御において、噴霧手段が作動して本体ケース内が加湿されることを特徴とした。
【００１４】
オゾンは、湿度が高いほど分解が促進される。かかる知見に基づき請求項５の空調装置は、本体ケース内の湿度を高めて、本体ケース内におけるオゾンの分解を促進し、本体ケースからオゾンが室内に漏れ出すのを防止する。また、これにより本体ケース内のオゾンの残留が軽減されるので、本体ケースに収容された部品をオゾンによる酸化から防御することができる。
【００１５】
請求項６の発明は、請求項１〜５のいずれかに記載の発明において、設置場所が、浴室であることを特徴とした。
【００１６】
請求項１〜５のいずれかに記載の空調装置は、衛生的であることが求められる浴室に設置されることが奨励される。浴室に設置された請求項６の空調装置は、浴室を安全に殺菌・消臭することができる。
【発明の効果】
【００１７】
本発明は、オゾン発生手段を駆動させるオゾン駆動手段が故障しても室内のオゾン濃度が人体に対して有害なレベルにまで上昇するのを防止することができる。
【発明を実施するための最良の形態】
【００１８】
次に本発明の実施形態について図面を参照しながら詳細に説明する。図１は、本実施形態に係る浴室空調装置が設置された浴室を示す斜視図である。図２は、本実施形態に係る浴室空調装置の作動原理図である。図３は、コントローラとオゾン発生ユニットとの関係を示すブロック図である。
【００１９】
［全体構成］
図１に示すように本実施形態の浴室空調装置１は、装置本体２とリモコン３とを備えており、装置本体２は、浴室Ａの壁面に設置される。浴室空調装置１は、リモコン３によって、運転モードの切り替えや、空気の吹出方向の調整などの所定の操作を行なうことができる。また浴室空調装置１は、図示しない報知手段を備えており、音声、ブザー音、またはリモコン表示などによって故障等をオペレータに報知する。
【００２０】
装置本体２は、配管５ａ，５ｂを介して屋外に設置された暖房用熱源機６およびミストユニット９と接続されており、暖房用熱源機６およびミストユニット９で昇温された温水が装置本体２に供給される。
【００２１】
図２に示すように装置本体２は、本体ケース８内に、熱交換器１０（昇温手段）、循環ファン１１、オゾン発生ユニット１２（オゾン発生手段）、換気ファン１３、コントローラ３１等を内蔵している。また装置本体２の下方には、複数（本実施形態では８つ）のミストノズル１５（噴霧手段）が浴室Ａに向けて配置される。
【００２２】
図１に示すように本体ケース８は、フロントカバー１８によって前面側が覆われている。装置本体２の上面には、浴室Ａ内の空気を装置本体２内に吸い込む吸気口２０が設けられ、装置本体２の前面下方には、温度または湿度を調整した空気を浴室Ａに吹き出すための吹出口２１が設けられている。そして吹出口２１の下方にミストノズル１５が配置されている。
【００２３】
図２に示すように装置本体２内には、吸気口２０から吹出口２１に到る一連の空気流路である循環流路２２が形成されている。循環流路２２には、熱交換器１０、循環ファン１１、オゾン発生ユニット１２が配置されている。
【００２４】
熱交換器１０は、熱媒を循環させて本体ケース８内の空気を昇温させる。熱交換器１０は、吸気口２０の下流側に配置されている。本実施形態の熱交換器１０は、配管５ａを介して屋外に設置される暖房用熱源機６と接続されており、暖房用熱源機６から温水の供給を受けることができる。これにより熱交換器１０は、暖房用熱源機６から供給された温水と吸気口２０から吸い込まれた空気との間で熱交換を行ない、吸気口２０から吸い込まれた空気を昇温することができる。また配管５ａには熱動弁１４が取り付けられており、熱動弁１４の開閉を切り替えることにより、暖房用熱源機６から熱交換器１０への温水の供給を制御することができる。
【００２５】
循環ファン１１は、熱交換器１０の下流側に配置されており、熱交換器１０によって昇温された空気を吹出口２１から浴室Ａ内に吹き出させることができる。オゾン発生ユニット１２は、熱交換器１０の下流側であって吹出口２１の上流側に配置されている。
そのため浴室空調装置１は、オゾン発生ユニット１２で発生したオゾンを、熱交換器１０によって昇温された空気とともに浴室Ａ内に吹き出させることができる。
【００２６】
装置本体２の吹出口２１には、ルーバー２３（開閉機構）が取り付けられている。ルーバー２３にはルーバー用モータ２５（開閉機構）が取り付けられており、吹出口２１に対するルーバー２３の傾斜角度を変更することができる。浴室空調装置１が停止しているとき、ルーバー２３は吹出口を塞いだ閉状態にされる。また空気を浴室Ａ内に供給するとき、ルーバー２３は吹出口２１を開放する開状態にされ、ルーバー２３の傾斜角度を変更させて空気の吹出方向が調整される。
【００２７】
ミストノズル１５は、配管５ｂを介して室外に設置されるミストユニット９と接続されており、ミストユニット９から供給される温水を霧状にして浴室Ａ内に噴霧することができる。このため本実施形態の浴室空調装置１は、浴室Ａ内をミストサウナとして使用することができる。
【００２８】
図２に示すように浴室Ａの壁面の所定位置には、浴室Ａの内外をつなぐ貫通孔２８が設けられる。また装置本体２の背面には、吸気口２０から吸い込まれた空気を浴室Ａの外部に排気するための排気口２６が設けられている。そして装置本体２は、排気口２６と浴室Ａの貫通孔２８とが一致するように浴室Ａの壁面に設置される。
【００２９】
装置本体２内には、吸気口２０から排出口２６に到る一連の空気流路である排気流路２７が形成されている。換気ファン１３は、この排気流路２７内に配置され、浴室Ａ内の空気を吸気口２０から吸い込み、排気口２７から浴室Ａの外部に排気することができる。なお循環流路２２と排気流路２７とは、上流側の一部が重複しており連続した空間である。また排気口２７には、外部の風雨が浴室Ａ内に入り込まないように逆風ダンパー３０が設けられている。
【００３０】
コントローラ３１は、マイクロコンピュータ等を利用した制御装置であり、図３に示すように演算部３２（制御手段）、オゾン駆動回路３３（オゾン駆動部）、および監視回路３５（監視部）を有する。演算部３２は、リモコン３、温度センサや湿度センサ等の各種センサ類、および監視回路３５から各種信号を受け取り、所定のプログラムに基づいて演算を行う。そして演算部３２は、演算結果に基づく各種の信号をリモコン３、オゾン駆動回路３３、循環ファン１１、換気ファン１３、暖房用熱源機６、およびミストユニット９に対して出力する。
【００３１】
オゾン駆動回路３３は、演算部３２およびオゾン発生ユニット１２に接続されている。オゾンを発生させる発生信号（オゾン発生指示）が演算部３２からオゾン駆動回路３３に入力されると、オゾン駆動回路３３はオゾン発生ユニット１２に電力を供給し、オゾン発生ユニット１２を駆動させてオゾンを発生させる。またオゾンの発生を停止させる停止信号（オゾン停止指示）が演算部３２からオゾン駆動回路３３に入力されると、オゾン駆動回路３３はオゾン発生ユニット１２への電力の供給を停止して、オゾン発生ユニット１２の駆動を停止させる。
【００３２】
監視回路３５は、演算部３２およびオゾン駆動回路３３に接続され、オゾン駆動回路３３からオゾン発生ユニット１２に対して出力される信号を監視する。本実施形態の監視回路３５は、オゾン駆動回路３３からオゾン発生ユニット１２に対して出力される信号として、オゾン発生ユニット１２への電力の供給の有無を監視する。そしてオゾン発生ユニット１２への電力の供給があれば、監視回路３５は、演算部３２に対し、オゾン発生ユニット１２が駆動していることを示すＯＮ信号を出力する。一方オゾン発生ユニット１２への電力の供給がなければ、監視回路３５は、演算部３２に対し、オゾン発生ユニット１２の停止を示すＯＦＦ信号を出力する。
【００３３】
またコントローラ３１は、タイマー機能を備えており、熱交換器１０の加熱開始やミストノズル１５の噴霧開始からの経過時間を計測することができる。このタイマーの設定時間は、固定的なものであり、出荷時または調整時に設定される。
【００３４】
［使用方法］
本実施形態の浴室空調装置１は、暖房運転モード、涼風運転モード、乾燥運転モード、および換気運転モード等の運転モードを備えており、リモコン３により各運転モードの切替操作を行うことができる。
【００３５】
暖房運転モードは、冬場の入浴を快適にするために浴室Ａ内の空気を加熱しながら循環させる運転モードであり、暖房能力を最大にして浴室Ａ内を急速に暖める急暖運転モードをさらに有する。涼風運転モードは、夏場の入浴を快適にするために浴室Ａ内の空気を加熱することなく循環させる運転モードである。
【００３６】
また乾燥運転モードは、浴室Ａ内のカビの発生を抑えるために、あるいは浴室Ａ内に干した洗濯物などを乾燥させるために、浴室Ａ内の空気を加熱しながら排気する運転モードであり、換気運転モードは、浴室Ａ内の空気を加熱することなく排気する運転モードである。
【００３７】
浴室空調装置１は、乾燥運転モードおよび急暖運転モードにおいてオゾンを発生し、オゾンを浴室Ａ内に供給して浴室Ａ内を殺菌・消臭する。乾燥運転中、オゾンは連続的に浴室Ａ内に提供される。乾燥運転モードでは、浴室Ａ内の空気が換気されるため、オゾンを連続的に提供しても浴室Ａ内のオゾン濃度が人体に有害なレベルまで上昇するおそれがない。
【００３８】
一方、急暖運転中は、浴室Ａ内の空気が換気されない。そのため急暖運転モードでは、浴室Ａ内のオゾン濃度が上昇しやすい。そのため浴室空調装置１は、急暖運転中、連続的にではなく間欠的にオゾンを発生することにより、浴室Ａ内のオゾン濃度が人体に有害なレベルにまで上昇するのを防止する。
【００３９】
ここで浴室空調装置１は、電磁ノイズ等が原因でオゾン駆動回路３３が故障してしまうおそれがある。オゾン駆動回路３３が故障すると、オゾンの発生を停止させる停止信号がオゾン駆動回路３３に出力されても、オゾン発生ユニット１２を停止させることができないＯＮ故障状態になることがある。この場合、浴室空調装置１は、オゾン発生ユニット１２を停止させることができないので、乾燥運転や急暖運転を実行するとオゾンが発生され続け、浴室Ａ内のオゾン濃度が人体に対して有害なレベルにまで上昇してしまうおそれがある。
【００４０】
そこで本実施形態の浴室空調装置１は、オゾン駆動回路３３がＯＮ故障状態になった場合、下記のように安全制御を行い、浴室Ａ内のオゾンの濃度が人体に対して有害なレベルにまで上昇するのを防止する。以下、浴室空調装置１の動作について、図４のフローチャート図を参照しながら詳細に説明する。図４は、本実施形態に係る浴室空調装置の安全制御フローを示すフローチャートである。
【００４１】
［安全制御］
図４のステップ１では、オゾン駆動回路３３がＯＮ故障状態であるか否かが判断される。即ち、オゾンの発生を停止させる停止信号が演算部３２からオゾン駆動回路３３に対し出力され、オゾン発生ユニット１２の停止を示すＯＦＦ信号が監視回路３５から演算部３２に入力されれば、オゾン駆動回路３３は正常な状態にあると判断される。一方、停止信号が演算部３２からオゾン駆動回路３３に対して出力され、オゾン発生ユニット１２の駆動を示すＯＮ信号が監視回路３５から演算部３２に入力されれば、オゾン駆動回路３３はＯＮ故障状態にあると判断される。
そしてオゾン駆動回路３３がＯＮ故障状態であると判断されると、制御フローは、ステップ２に移行される。
【００４２】
ステップ２では、循環ファン１１が停止される。これにより、オゾンが装置本体２から浴室Ａに提供されるのを防止することができる。そして制御フローは、ステップ３に移行される。
【００４３】
ステップ３では、傾斜角度が変更されてルーバー２３が閉状態にされる。これにより、装置本体２の吹出口２１がルーバー２３によって塞がれるので、本体ケース８内で発生したオゾンが吹出口２１から浴室Ａ内に漏れ出すのを防止することができる。そして制御フローは、ステップ４に移行される。
【００４４】
ステップ４では、換気ファン１３が駆動される。これにより、浴室Ａ内に残留するオゾンと本体ケース８内で発生され続けるオゾンとを排出流路２７から室外に排出させることができる。そして制御フローは、ステップ５に移行される。
【００４５】
ステップ５では、音声、ブザー音、リモコン表示などの報知手段（図示せず）によって、オゾン駆動回路３３の故障が報知される。この報知によりオペレータは、オゾン駆動回路３３の故障を察知することができる。そして制御フローは、ステップ６に移行される。
【００４６】
ステップ６では、熱交換器１０の加熱が開始される。即ち、熱動弁１４が開かれ、暖房用熱源機６から熱交換器１０に対して温水の供給が開始される。これにより、熱交換器１０が加熱されて本体ケース８内の空気を昇温させることができる。オゾンは高温であるほど分解が促進されるため、これにより本体ケース８内のオゾンの分解を促進させることができる。そして制御フローは、ステップ７に移行される。
【００４７】
ステップ７では、熱交換器１０の加熱開始から所定時間が経過したか否かが判断される。熱交換器１０の加熱開始から所定時間が経過した場合、制御フローはステップ８に移行される。
【００４８】
ステップ８では、循環ファン１１が駆動される。これによりケース本体２内の空気を攪拌してケース本体２内の温度を均一上昇させ、オゾンの分解を促進することができる。そして制御フローは、ステップ９に移行される。
【００４９】
ステップ９では、ミストユニット９から温水が供給され、ミストの噴霧が開始される。即ちミストノズル１５から浴室Ａ内にミストが噴霧され、浴室Ａ内の湿度が高められる。そして浴室Ａ内の空気が循環ファン１１および換気ファン１３によって、吸気口２０から本体ケース８内に吸い込まれ、本体ケース８内の湿度が高められる。オゾンは湿度が高いほど分解が促進されるため、これにより本体ケース８内のオゾンの分解を促進させることができる。
その後、制御フローは、ステップ１０に移行される。
【００５０】
ステップ１０では、ミストの噴霧開始から所定時間が経過したか否かが判断される。ミストの噴霧開始から所定時間が経過した場合、制御フローはステップ１１に移行され、ミストの噴霧が停止される。ミストの噴霧が停止されると、制御フローはステップ２に戻され、上記ステップ２〜ステップ１１が繰り返し実行される。
【００５１】
そしてオペレータは、安全制御中の報知（ステップ５）によって、オゾン駆動回路３３の故障を察知することができる。オゾン駆動回路３３の故障を察知したオペレータは、コンセントを抜いて装置本体２への電力の供給を遮断することによって、オゾン発生ユニット１２への電力の供給を遮断し、オゾン発生ユニット１２のオゾンの発生を停止させることができる。
【００５２】
［本発明の特徴］
本実施形態の浴室空調装置１は、オゾン駆動回路３３がＯＮ故障状態であると判断した場合には、循環ファン１１を停止させ、換気ファン１３を駆動させる安全制御を実行する。循環ファン１１が停止されることにより、オゾン発生手段１２で発生したオゾンが本体ケース８内から浴室Ａ内に供給されるのを防止することができる。また換気ファン１３が駆動されることにより、本体ケース８内で発生し続けるオゾンを浴室Ａの外部に排出することができる。
このため本実施形態の浴室空調装置１は、オゾン駆動回路３３がＯＮ故障しても、本体ケース８内で発生し続けるオゾンが浴室Ａ内に供給されずに浴室Ａの外部に排出されるため、浴室Ａ内のオゾン濃度が人体に有害なレベルまで上昇しない。
【００５３】
また本実施形態の浴室空調装置１は、オゾン駆動回路３３以外にオゾン発生ユニット１２を直接的に停止させる手段を持たない。しかし浴室空調装置１は、オゾン駆動回路３３がＯＮ故障した場合に備えてオゾン発生ユニット１２を停止させる安全装置を新たに設けることなく、浴室Ａ内のオゾン濃度が人体に有害なレベルにまで上昇するのを防止することができる。
【００５４】
また本実施形態の浴室空調装置１は、安全制御において、装置本体２の吹出口２１をルーバー２３で塞いでいる。これにより、本体ケース８内のオゾンが浴室Ａ内に漏れ出すのを防止することができる。
【００５５】
本実施形態の浴室空調装置１は、熱交換器１０を加熱し、ミストを浴室Ａに噴射することにより、本体ケース８内を高温高湿にすることができる。これにより本体ケース８内におけるオゾンの分解が促進され、本体ケース８内に収容された部品をオゾンによる酸化から防御することができる。
【００５６】
［他の実施形態］
上記実施形態の浴室空調装置１は、安全制御のステップ３で、ルーバー２３を閉状態にして装置本体２の吹出口２１を塞いだが、このステップは必須ではない。安全制御を実行する際には、ルーバー２３の角度を変えて装置本体２の吹出口２１が開いた状態にしてもよい。この場合、換気ファン１３の駆動により吹出口２１からも浴室Ａ内の空気を吸い込ませ、本体ケース８内の換気効率を向上させることも可能である。
【００５７】
また上記実施形態の浴室空調装置１は、図４の安全制御のステップ６〜８で、熱交換器１０を加熱し本体ケース８内を昇温させて、オゾンの分解を促進した。しかしこれらのステップは必須というわけではなく省略が可能である。
【００５８】
上記実施形態の浴室空調装置１は、図４の安全制御のステップ９〜１１で、浴室Ａにミストを噴霧し本体ケース８内の湿度を高めて、オゾンの分解を促進した。しかしこれらのステップも必須ではない。そのため本発明は、ミストの噴霧機能のない浴室空調装置においても適用することができる。
【００５９】
上記実施形態の浴室空調装置１は、壁面に設置される構成であったが、本発明はこのような構成に限定されるわけではない。例えば、天井内に配置される構成であってもよい。
【００６０】
上記実施形態の浴室空調装置１は浴室Ａに設置されたが、本発明の空調装置は、設置場所が浴室に限定されているわけではない。本発明の空調装置は、衛生的であることが求められる空間への設置が特に推奨される。例えば浴室以外では、脱衣所、トイレなどに設置されることが望ましい。
【００６１】
上記実施形態の浴室空調装置１では、熱交換器１０に温水を循環させて本体ケース８内の空気を昇温させたが、本発明はこのような構成に限定されるわけではない。例えば、不凍液などの熱媒を熱交換器１０に循環させて本体ケース８内の空気を昇温させてもよい。
【００６２】
また上記実施形態の浴室空調装置１では、熱交換器１０が昇温手段として用いられたが、本発明はこのような構成に限定されるわけではない。昇温手段は、空気を所定の温度に昇温することができればよく、例えばセラミックヒータ等を用いることができる。
【００６３】
上記実施形態の浴室空調装置１は、ミストノズル１５によって温水が噴霧されたが、本発明はこのような構成に限定されるわけではない。ミストノズル１２から噴霧される液体は、本体ケース８内を加湿できるものであればよい。例えば、被加熱水をミストノズル１５で噴霧させてもよい。
【図面の簡単な説明】
【００６４】
【図１】本実施形態に係る浴室空調装置が設置された浴室を示す斜視図である。
【図２】本実施形態に係る浴室空調装置の模式図である。
【図３】コントローラとオゾン発生ユニットとの関係を示すブロック図である。
【図４】本実施形態に係る浴室空調装置の安全制御フローを示すフローチャートである。
【符号の説明】
【００６５】
１    浴室空調装置（空調装置）
８    本体ケース
１０  熱交換器（昇温手段）
１１  循環ファン
１２  オゾン発生ユニット（オゾン発生手段）
１３  換気ファン
１５  ミストノズル
２１  吹出口
２３  ルーバー（開閉機構）
３２  演算部（制御手段）
３３  オゾン駆動回路（オゾン駆動部）
３５  監視回路（監視部）
Ａ    浴室
【図１】
2009079834.tif 000003
【図２】
2009079834.tif 000004
【図３】
2009079834.tif 000005
【図４】
2009079834.tif 000006